(57)【要約】【課題】ステイを用いて庇取り付け壁面に支持することなく取り付け角度を変えることができる建物用庇を提供する。【解決手段】庇取り付け壁面２に取り付けられる下側支持部材３と、下側支持部材３の上端に係合した状態で庇取り付け壁面２に取り付けられる上側支持部材４，５と、下側支持部材３と上側支持部材４，５との間に固定される庇パネル９とを備えた建物用庇１において、下側支持部材３の上面には楔型に形成され前後逆向きに設置可能な下部スペーサ６が設置され、上側支持部材４，５の下面には楔型に形成され前後逆向きに設置可能な第２スペーサである上部スペーサ７，８が設置されており、庇パネル９は、互いに平行に形成されている、下部スペーサ６の上面側に形成される第１当接面３４と、上部スペーサ７，８の下面側に形成される第２当接面３５との間に挟み込まれた状態で固定される。【選択図】図１
2014020023.tif 000002
【特許請求の範囲】
【請求項１】
庇取り付け壁面に取り付けられる下側支持部材と、
下側支持部材の上端に係合した状態で庇取り付け壁面に取り付けられる上側支持部材と、
下側支持部材と上側支持部材との間に固定される庇パネルとを備えた建物用庇において、
下側支持部材の上面には楔型に形成され前後逆向きに設置可能な下部スペーサが設置され、上側支持部材の下面には楔型に形成され前後逆向きに設置可能な上部スペーサが設置されており、
庇パネルは、互いに平行に形成されている下部スペーサの上面側に形成される第１当接面と、上部スペーサの下面側に形成される第２当接面との間に挟み込まれた状態で固定されることを特徴とする建物用庇。
【請求項２】
下部スペーサと上部スペーサとは同一の断面形状を呈していることを特徴とする請求項１に記載の建物用庇。
【発明の詳細な説明】
【技術分野】
【０００１】
本発明は、建物の軒先などに直射日光や雨水などを遮るために取り付けられる建物用庇に関するものである。
【背景技術】
【０００２】
従来、この種の建物用庇として、たとえば特許文献１に記載のものが知られている。特許文献１に記載の建物用庇は、庇取り付け壁面に取り付けられる壁取り付け部材と、この壁取り付け部材に係合するパネル取り付け用部材と、このパネル取り付け用部材に取り付けられるパネル部材と、このパネル部材の前端部に取り付けられる先端見切り部材とから構成されている。そして、パネル取り付け用部材下端の板部に形成された係合部が、壁取り付け部材の壁面に沿う下端に形成された係合部に回動可能に係合しており、これによってパネル部材の取り付け角度が変更可能とされており、パネル部材は天板部に取り付けられたステイによって庇取り付け壁面に支持されている。
【先行技術文献】
【特許文献】
【０００３】
【特許文献１】特開２００５−２５６３１７号公報
【発明の概要】
【発明が解決しようとする課題】
【０００４】
上記特許文献１に記載の建物用庇は、ステイを用いてパネル部材を庇取り付け壁面に支持するので、部品点数の増加を招いている。
本発明の目的は、ステイを用いてパネル部材を庇取り付け壁面に支持せずにパネル部材の取り付け角度を変えることができる建物用庇を提供することである。
【課題を解決するための手段】
【０００５】
この課題を解決するために請求項１に係る発明は、庇取り付け壁面に取り付けられる下側支持部材と、下側支持部材の上端に係合した状態で庇取り付け壁面に取り付けられる上側支持部材と、下側支持部材と上側支持部材との間に固定される庇パネルとを備えた建物用庇において、下側支持部材の上面には楔型に形成され前後逆向きに設置可能な下部スペーサが設置され、上側支持部材の下面には楔型に形成され前後逆向きに設置可能な上部スペーサが設置されており、庇パネルは、互いに平行に形成されている下部スペーサの上面側に形成される第１当接面と、上部スペーサの下面側に形成される第２当接面との間に挟み込まれた状態で固定される。
請求項２に係る発明は、下部スペーサと上部スペーサとが同一の断面形状を呈している。
【発明の効果】
【０００６】
請求項１記載の発明によれば、ステイを用いて庇パネルを固定することなく、前後逆向きに設置可能な下部スペーサの第１当接面と前後逆向きに設置可能な上部スペーサの第２当接面との間に庇パネルを固定して、庇パネルの取り付け角度を変更可能な建物用庇とすることができる。
【０００７】
請求項２記載の発明によれば、下部スペーサと上部スペーサとを一種類のアルミ押し出し材を用いて製作することができる。
【図面の簡単な説明】
【０００８】
【図１】本発明の第１の実施形態に係る建物用庇の部品構成を示す斜視図である。
【図２】同建物用庇の組み立て完成斜視図である。
【図３】同建物用庇の側断面図である。
【図４】（ａ）および（ｂ）は下部スペーサの平面図および側面図である。
【図５】（ａ）および（ｂ）は片側の上部スペーサの平面図および側面図である。
【図６】（ａ）および（ｂ）は他側の上部スペーサの平面図および側面図である。
【図７】下側支持部材の取り付け手順を示す図である。
【図８】下側支持部材を取り付け、下部スペーサを載せる状態を示す図である。
【図９】端部パネルと一部の中間パネルとを取り付けた状態を示す図である。
【図１０】すべての端部パネルおよび中間パネルを取り付けた状態を示す図である。
【図１１】本発明の第２の実施形態に係る建物用庇の断面図である。
【発明を実施するための形態】
【０００９】
以下、本発明の第１の実施の形態について図１〜図１０に基づいて説明する。建物用庇１は、庇取り付け壁面２に取り付けられる下側支持部材３と、下側支持部材３の上端に係合した状態で庇取り付け壁面２に取付けられる左右に分割した上側支持部材４，５とを備えている。下側支持部材３の上面には下部スペーサ６が設置され、上側支持部材４，５の下面には上部スペーサ７，８が設置される。庇パネル９は、下部スペーサ６と上部スペーサ７，８とに挟み込まれた状態で下側支持部材３と上側支持部材４，５との間に固定される。
【００１０】
庇パネル９の先端部には、見切りブラケット１０を介して先端見切り材１１が取り付けられる。下側支持部材３の底面側は下部カバー材１２で覆われ、上側支持部材４，５の上面側は上部カバー材１３で覆われる。
【００１１】
下側支持部材３は、庇取り付け壁面２に打ち込まれたアンカーボルト１５にナット１４止めされる背面板部１６と、この背面板部１６の下端部から先端部側に伸延して庇パネル９の基端部下面側を支持する下部支持板部１７と、背面板部１６の上端から先端部側に伸延する上部板部１８とを備えている。
【００１２】
背面板部１６にはアンカーボルト１５が挿通される幅方向に細長な長孔１９が所定間隔置きに複数形成されている。下部支持板部１７の上面には、スペーサ６が当接する受け面２０が形成されており、受け面２０の基端部側と先端部側とには下部スペーサ６の前後方向の位置決めをする凸部２１，２２が形成されている。下部支持板部１７の先端部には、庇パネル９をボルト４８止めするための幅方向に細長な長孔２３が所定間隔置きに複数形成されている。
【００１３】
上側支持部材４の下面と当接する上部板部１８の上面２４の基端部には上側支持部材４，５が係合する凹凸状の係合部２５が形成されている。上部板部１８の下面には、庇パネル９の基端角部２６が係合する係合突起部２７が形成されている。係合突起部２７は略水平に先端部側に突出する凸部２９と、凸部２９の基端部において下方に突出する凸部３０とを備えている。
【００１４】
図３に示すように先端が下がった状態で庇パネル９が設置される場合には、庇パネル９の基端部上面３１が上部板部１８の先端裏面３２に当接し、基端部端面３３が凸部２９の先端に当接する。
【００１５】
上側支持部材４，５は、庇取り付け壁面２に打ち込まれたアンカーボルト４１にナット４０止めされる背面板部４２と、この背面板部４２の下端部から先端部側に伸延して庇パネル９の上面側を支持する下部支持板部４３とを備える。背面板部４２にはアンカーボルト４１が挿通される長手方向に細長な長孔４４が所定間隔置きに形成されている。
【００１６】
下部支持板部４３の下面には、下側支持部材３の上部板部１８と上部スペーサ７，８とが当接する受け面４５が形成されており、受け面４５には上部スペーサ７，８のアリ溝５４が係合する係合凸部４６が設けられている。下部支持板部４３の下面基端部には、係合部２５が係合する凹凸状の係合部４７が形成されている。下部支持板部４３の先端部には、庇パネル９をボルト止めするための長手方向に細長な長孔４９が所定間隔ごとに複数形成されている。なお、下部支持板部４３の長孔４９上面側には六角ボルト４８の頭部を固定するための保持レール５０が形成されている。
【００１７】
本実施の形態において、上側支持部材は４と５との２つの部材に分割された状態で設置されるが、これに限定されるものではなく、上側支持部材は一体的に形成されたものでもよく、あるいは３つ以上に分割されたものでもよい。
【００１８】
下部スペーサ６と上部スペーサ７，８とは、断面が楔型である１種類のアルミ押し出し材を適当長さにカットして製作可能である。下部スペーサ６の下面および上部スペーサ７，８の上面中央部には、それぞれ長手方向に沿って前述のアリ溝５４が形成されており、下部スペーサ６の上面および上部スペーサ７，８の下面は前後方向に傾斜して第１当接面３４および第２当接面３５を形成している。
【００１９】
下部スペーサ６は、下面が下側支持部材３の下部支持板部１７の受け面２０に当接し、上面の第１当接面３４が先端部側に向かって斜めに下がった状態で設置される。このとき下部スペーサ６の前後の両端面５７，５８は凸部２２，２１に当接して位置決めされる。上部スペーサ７，８は、アリ溝５４が係合凸部４６に係合した状態で、上面が上側支持部材４，５の下部支持板部４３受け面４５に当接し、下面の第２当接面３５が先端部側に向かって斜めに下がった状態で設置される。
【００２０】
下部スペーサ６と上部スペーサ７，８との先端部側には六角ボルト４８が挿通される長手方向に細長な長孔５１，５２，５３が複数形成されており、下部スペーサ６と上部スペーサ７，８とはこれら長孔５１，５２，５３に挿通される六角ボルト４８によって固定される。５５は六角ボルト４８の先端に螺合されるナットである。なお、上部スペーサ７と８とは、２つに分割されて設置される上側支持部材４と５とに合わせて２つに分割された状態で形成される。
【００２１】
庇パネル９は、基端部から先端部方向に中空状に形成された、中間パネル６１と端部パネル６２，６３とを備えている。中間パネル６１の両側面には対称構造の係合部６１ａ，６１ｂが各々形成されており、端部パネル６２，６３の一側面には対称構造の係合部６２ａ，６３ａが各々形成されている。端部パネル６２と中間パネル６１とは、係合部６２ａと６１ａとを介して係合可能であり、中間パネル６１，６１同士は係合部６１ａと６１ｂとを介して係合可能である。さらに中間パネル６１と端部パネル６３とは、係合部６１ｂ，６３ａを介して係合可能である。係合部６２ａと係合部６１ｂとは同一形状であり、係合部６３ａと係合部６１ａとは同一形状である。なお、中間パネル６１の基端部側には六角ボルト４８が挿通される前後方向に細長な長孔６４が形成されている。
【００２２】
ここで、建物用庇１を庇取り付け壁面２に取り付ける手順について説明する。
庇取り付け壁面２には、下側支持部材３の長孔１９位置に合わせてアンカーボルト１５が打ち込まれており、アンカーボルト１５の上方には、上側支持部材４，５の長孔４４の位置に合わせてアンカーボルト４１が打ち込まれている。
【００２３】
まず、図７，８に示すように、下側支持部材３が庇取り付け壁面２のアンカーボルト１５にナット１４止めされ、ナット１４止めされた下側支持部材３の下部支持板部１７受け面２０に下部スペーサ６が設置される。下部スペーサ６は凸部２１，２２によって前後方向の位置決めがされた状態で受け面２０に設置される。
【００２４】
下側支持部材３の側部に端部パネル６２が設置される。端部パネル６２は、下面が下部スペーサ６の上面の第１当接面３４に当接した状態で、基端角部２６が係合突起部２７に係止される。つぎに中間パネル６１が端部パネル６２に係合した状態で設置される。中間パネル６１は、係合部６１ａが端部パネル６２の係合部６２ａに係合し、下面が下部スペーサ６の上面側の第１当接面３４に当接した状態で、基端角部２６が係合突起部２７に係止される。前記中間パネル６１には、隣接してさらに中間パネル６１が設置される。中間パネル６１同士は、係合部６１ａと６１ｂとが係合した状態で設置される。
【００２５】
端部パネル６２と２枚の中間パネル６１，６１とが設置された下側支持部材３には一方の上側支持部材４が設置される。まず一方の第１上側支持部材４の下部支持板部４３の受け面４５に上部スペーサ７が設置される。上部スペーサ７は、下部支持板部４３の受け面４５に形成された係合凸部４６にアリ溝５４が係合された状態で設置される。
【００２６】
上部スペーサ７が設置された一方の上側支持部材４は、係合部４７が下側支持部材３の係合部２５に係合され、下部支持板部４３の受け面４５が下側支持部材３の上部板部１８の上面２４に当接して位置決めされた状態で、庇取り付け壁面２に打ち込まれたアンカーボルト４１に背面板部４２の長孔４４が嵌め込まれる（図９参照）。
そして、下部支持板部４３の長孔４９に六角ボルト４８が挿入される。上部スペーサ７，中間パネル６１および下部スペーサ６を挿通して下側支持部材３の下部支持板部１７下面側に突出した六角ボルト４８にナット５５が螺合される。これによって端部パネル６２と中間パネル６１，６１とが下側支持部材３と上側支持部材４との間に挟み込まれる。さらに、アンカーボルト４１に嵌め込まれている背面板部４２はナット４０止めされて固定される。
【００２７】
下側支持部材３と一方の上側支持部材４との間に挟み込まれ中央寄りに位置する中間パネル６１には、残りの中間パネル６１，６１と端部パネル６３とがこの順番に係合されて、下面が下部スペーサ６の上面の第１当接面３４に当接した状態で、基端角部２６が係合突起部２７に係止される。
【００２８】
残りの中間パネル６１，６１と端部パネル６３とが係合されて庇パネル９が設置された下側支持部材３には、上部スペーサ８が設置された他方の上側支持部材５が設置される。さらに庇パネル９の先端部側には庇パネル９の先端部には、見切りブラケット１０を介して先端見切り材１１が取り付けられる（図１０参照）。庇パネル９は、下部スペーサ６および上部スペーサ７，８の第１当接面３４および第２当接面３５との間に挟み込まれた状態で、下側支持部材３と上側支持部材４との間に固定されるので、ステイを取り付けて庇パネル９を庇取り付け壁面２に支持することなく先端が下がった状態で庇パネル９を取り付けることができる。なお、下側支持部材３と上側支持部材４との側部、および下側支持部材３と上側支持部材５との側部には、ビスホール６７を用いて壁側端部カバー６５，６５がビス止めされる。これによって、端部パネル６２，６３の基端部が幅方向に固定される。さらに先端見切り材１１の両側部には、ビスホール６８を用いて先端側端部カバー６６，６６がビス止めされる。
【００２９】
つぎに、本発明の第２の実施の形態について図１１に基づいて説明する。本発明の第１の実施の形態についての説明と重複する部分については説明を省略し同一の符号を用いる。本実施の形態においては、下部スペーサ６と上部スペーサ７，８とが第１の実施の形態とは前後逆向きに設置され、庇パネル９は先端が上がった状態で取り付けられる。図１１に示すように先端が上がった状態で庇パネル９が設置される場合には、庇パネル９の基端部上面３１が凸部２９の下面に当接し、基端部端面３３が凸部３０の前面に当接する。
【００３０】
このように、庇取り付け壁面２に取り付けられる下側支持部材３と、下側支持部材３の上端に係合した状態で庇取り付け壁面２に取り付けられる上側支持部材４，５と、下側支持部材３と上側支持部材４，５との間に固定される庇パネル９とを備えた建物用庇１において、下側支持部材３の上面には楔型に形成され前後逆向きに設置可能な下部スペーサ６が設置され、上側支持部材４，５の下面には楔型に形成され前後逆向きに設置可能な上部スペーサ７，８が設置されており、庇パネル９は、互いに平行に形成されている下部スペーサ６の上面側に形成される第１当接面３４と、上部スペーサ７，８の下面側に形成される第２当接面３５との間に挟み込まれた状態で固定されるので、ステイを用いて庇パネル９を固定することなく、前後逆向きに設置可能な下部スペーサ６と前後逆向きに設置可能な上部スペーサ７，８との間に庇パネル９を固定して、庇パネル９の取り付け角度を変更可能な建物用庇１とすることができる。
【００３１】
さらに、下部スペーサ６と上部スペーサ７，８とは同一の断面形状を呈しているので、下部スペーサ６と上部スペーサ７，８とを一種類のアルミ押し出し材を用いて製作することができる。
【符号の説明】
【００３２】
１    建物用庇
２    庇取り付け壁面
３    下側支持部材
４，５    上側支持部材
６    下部スペーサ
７，８    上部スペーサ
９    庇パネル
１０    見切りブラケット
１１    先端見切り材
１２    下部カバー材
１３    上部カバー材
１４    ナット
１５    アンカーボルト
１６    背面板部
１７    下部支持板部
１８    上部板部
１９，２３，４４，４９，５１，５２，５３，６４    長孔
２０    受け面
２１，２２    凸部
２４    上面
２５    係合凸部
２６    基端角部
２７    係合突起部
２９，３０    凸部
３１    基端部上面
３２    裏面
３３    基端部端面
３４    第１当接面
３５    第２当接面
４０    ナット
４１    アンカーボルト
４２    背面板部
４３    下部支持板部
４５    受け面
４６    係合凸部
４７    係合部
４８    六角ボルト
５０    保持レール
５４    アリ溝
５５    ナット
５７，５８    端面
６１    中間パネル
６２，６３    端部パネル
６５    壁側端部カバー
６６    先端側端部カバー
６７，６８    ビスホール
【図１】
2014020023.tif 000003
【図２】
2014020023.tif 000004
【図３】
2014020023.tif 000005
【図４】
2014020023.tif 000006
【図５】
2014020023.tif 000007
【図６】
2014020023.tif 000008
【図７】
2014020023.tif 000009
【図８】
2014020023.tif 000010
【図９】
2014020023.tif 000011
【図１０】
2014020023.tif 000012
【図１１】
2014020023.tif 000013